(57)【特許請求の範囲】
【請求項１】
上げ下げ窓２の隅角部に形成された第１開口４を塞ぐように框に固定される取付け板部１２及び該取付け板部１２の一側壁縁から交差方向に連設する垂直のベース板部１５を有する取付けベース板１０と、この取付けベース板１０の前記垂直のベース板部１５の内側に支軸３５を介して軸支されると共に突出圧接部２１と指当て操作片部２２をそれぞれ有するロックレバー２０と、前記支軸３５に巻装され、かつ、このロックレバー２０の前記突出圧接部２１の弧状圧接面２１ａを前記取付け板部１２に形成されたロックレバー用開口１４を介して窓用枠１の縦枠部１ａにスライド抵抗を与えるように圧接させ、該スライド抵抗により上げ下げ窓２が落下しないように常時圧接方向へと付勢する付勢バネ３０と、上げ下げ窓２の第２開口６に固定的に嵌め込まれ、周壁部４２に前記ロックレバー２０の指当て操作片部２２が嵌まり合う切欠開口部４１を有するケース状の引き手４０とから成る上げ下げ窓用の位置固定金具。
【請求項２】
請求項１に於いて、引き手４０は、トラック状の周壁部４２と、この周壁部４２によって形成された開口４３側のフランジ４４と、後方開口を塞ぐ後壁部４５と、前記周壁部４２の上方に形成され、かつ、ロックレバー２０の指当て操作片部２２が嵌まり合う切欠開口部４１とから成ることを特徴とする上げ下げ窓用の位置固定金具。
【発明の詳細な説明】
【０００１】
【発明の属する技術分野】
本発明は、建物の窓用枠、車輌の窓用枠等の上げ下げ窓の左右に一対取付けられる上げ下げ窓用の位置固定金具に関する。
【０００２】
【従来の技術】
従来、この種の上げ下げ窓用の位置固定金具は、周知のように、上げ下げ窓２の隅角部に左右一対設けられ、上げ下げ窓を持ち上げ又は引き下げる場合には、斜め状態の操作片に親指を当てがい、力を入れて押し下げることにより、付勢バネのバネ力に抗して操作片が回転下降し、それと同時に水平移動可能な係合片が窓用枠の縦枠の係合溝から離れる。しかしながら、このような位置固定金具は、一般的に次に列挙するような問題点を有している。
（１）所望する開放位置の縦枠の係合溝を見ながら（確認しながら）、上げ下げ窓を持ち上げなければならなかった。したがって、特に上げ下げ窓が重い場合には、係合片を所望する係合溝に合わせるのが面倒であるのみならず、係合溝を確認しないで操作片から指を離すと、勢い良く「ストーン」と落下する時もしばしばあり、危険であった。
（２）上げ下げ窓を任意の位置に簡単に止めることができなかった。
（３）構成する部品点数が多く、上げ下げ窓の隅角部に容易に取付けることができなかった。
（４）取付けの際、上げ下げ窓の框（隅角部）を著しく加工しなければならなかった。
【０００３】
【発明が解決しようとする課題】
本発明は以上のような従来の要望に鑑み、第１の目的は、上げ下げ窓を任意の位置に簡単に止めることができることである。第２の目的は、上げ下げ窓のロック及びそのロック解除をきわめて容易に操作することができることである。第３の目的は、上げ下げ窓の隅角部に容易に取付けることができることである。第４の目的は、既存の上げ下げ窓の隅角部を著しく加工しなくても良いことである。
【０００４】
【課題を解決するための手段】
本発明の上げ下げ窓用の位置固定金具は、上げ下げ窓２の隅角部に形成された第１開口４を塞ぐように框に固定される取付け板部１２及び該取付け板部１２の一側壁縁から交差方向に連設する垂直のベース板部１５を有する取付けベース板１０と、この取付けベース板１０の前記垂直のベース板部１５の内側に支軸３５を介して軸支されると共に突出圧接部２１と指当て操作片部２２をそれぞれ有するロックレバー２０と、前記支軸３５に巻装され、かつ、このロックレバー２０の前記突出圧接部２１の弧状圧接面２１ａを前記取付け板部１２に形成されたロックレバー用開口１４を介して窓用枠１の縦枠部１ａにスライド抵抗を与えるように圧接させ、該スライド抵抗により上げ下げ窓２が落下しないように常時圧接方向へと付勢する付勢バネ３０と、上げ下げ窓２の第２開口６に固定的に嵌め込まれ、周壁部４２に前記ロックレバー２０の指当て操作片部２２が嵌まり合う切欠開口部４１を有するケース状の引き手４０とから成る。
【０００５】
上記構成に於いて、引き手４０は、トラック状の周壁部４２と、この周壁部４２によって形成された開口４３側のフランジ４４と、後方開口を塞ぐ後壁部４５と、前記周壁部４２の上方に形成され、かつ、ロックレバー２０の指当て操作片部２２が嵌まり合う切欠開口部４１とから成る。
【０００６】
【発明の実施の形態】
以下、図面に示す本発明の実施の形態を窓用枠に１枚の上げ下げ窓が設けられている一例で説明する。まず図１は、窓用枠１に設けられた上げ下げ窓２が多少開放している状態の室内側から見た概略説明図である。窓用枠１は縦長の矩形状枠であり、例えば建物の窓用枠、車輌の窓用枠等を意味する。したがって、本実施例の窓用枠１は不動産用、動産用を問わない。しかして、窓用枠１は、周知のように左右の縦枠部１ａ、１ａ、下枠部１ｂ、図示しない上枠部を有する。
【０００７】
次に図２乃至図５に基づき本発明の上げ下げ窓２用の位置固定金具Ｘについて説明する。この位置固定金具Ｘは、図１で示すように上げ下げ窓２の下部に左右一対取付けるのが望ましい。もちろん、窓用枠１の設置場所如何によっては、上げ下げ窓２の上部に左右一対取付けても良い。
【０００８】
さて、位置固定金具Ｘは、図５で示すように取付けベース板１０と、この取付けベース板１０に一体的に軸支されるロックレバー２０と、このロックレバー２０の突出圧接部２１を窓用枠１の縦枠部１ａにスライド抵抗を与えるように圧接させ、該スライド抵抗により上げ下げ窓２が落下しないように常時係合或いは圧接方向へと付勢する付勢バネ３０と、前記ロックレバー２０の指当て操作片部２２が嵌まり合う或いは臨む切欠開口部４１を有する引き手４０とから成る。
【０００９】
そこで、こられの各構成部材についてさらに詳しく説明する。まず取付けベース板１０について説明する。この取付けベース板１０は、図２及び図３で示すように上げ下げ窓２の隅角部３に形成された縦方向の第１開口４に当てがうように複数個の固着具１１を介して上げ下げ窓２に固定される。なお、前記第１開口４の上部には、横方向に小切欠部５が連通している。
【００１０】
しかして、１２は前記固着具１１用貫通孔１３及びロックレバー用開口１４をそれぞれ有する取付け板部である。前記貫通孔１３は上下にそれぞれ形成され、またロックレバー用開口１４は、ロックレバー２０の突出圧接部２１が余裕を持って入り込むことができるように縦長の矩形状に形成されている。この取付け板部１２は、上げ下げ窓２の隅角部３の第１開口４を塞ぐように框に固定されるので、いわばフロント板に相当する。
【００１１】
１５はフロント板としての取付け板部１２の一側壁縁から交差方向に連設する垂直のベース板部である。したがって、このベース板部１５は、図４で示すように断面Ｌ型状に形成されている。このベース板部１５の後端部寄りの部位には、軸孔１６が形成されている。またベース板部１５の後端部には、小突起状の第１バネ受け部１７が設けられている。
【００１２】
次にロックレバー２０について説明する。このロックレバー２０は、取付けベース板１０に固定された支軸３５を介し、取付けベース板１０の内側に回転可能に軸支されている。しかして、ロックレバー２０は、前記支軸３５用の孔２３を有する板状指部２４と、この板状指部２４の先端部に一体的に設けられた突出圧接部２１と、一方、板状指部２４の後端部の上縁に一体的に設けられた指当て操作片部２２とから成り、前記板状指部２４の上縁には、第２バネ受け部２５が小突起状に設けられている。
【００１３】
ところで、前記突出圧接部２１は、本実施例では窓用枠１の縦枠部１ａのレール状内壁面に対して十分なスライド抵抗を得ることができるように、合成樹脂材、金属、合成ゴム等で弧状の圧接面を有する袋状に形成されている。したがって、この突出圧接部２１の弧状圧接面２１ａは、その材質如何によっては付勢バネ３０のバネ力により、線接触乃至面接触の状態で窓用枠１の縦枠部１ａに圧接する。ここで、付勢バネ３０について説明すると、付勢バネ３０は取付けベース板１０の軸孔１６を貫通する支軸３５に巻装され、その一端部３０ａは第１バネ受け部１７に、一方、他端部３０ｂは第２バネ受け部２５にそれぞれ支持される。
【００１４】
最後に引き手４０について説明する。引き手４０は、普通一般に障子に取付け使用されている形態と同様であり、上げ下げ窓２の隅角部３に形成された横方向の第２開口６に固定的に嵌め込まれる。
【００１５】
しかして、引き手４０は、トラック状の周壁部４２と、この周壁部４２によって形成された開口４３側のフランジ４４と、後方開口を塞ぐ後壁部４５と、前記周壁部４２の上方中央部寄りの部位から一方のカーブ付近に至るまで形成され、かつ、前述したロックレバー２０の指当て操作片部２２が嵌まり合う或いは臨む切欠開口部４１とから成る。
【００１６】
上記構成に於いて、まず位置固定金具Ｘを上げ下げ窓２の隅角部３に固定する場合について説明する。隅角部３に固定する前は、取付けベース板１０とロックレバー２０とは、図６で示すように支軸３５を介して一体的に構成されている。この場合ロックレバー２０の突出圧接部２１は取付けベース板１０の開口１４から食み出ていると共に、付勢バネ３０のバネ力により半時計方向に常時付勢され、前記開口１４の縁部に係止されている。そこで、このように一体的に組合わせた取付けベース板１０並びにロックレバー２０を上げ下げ窓２の第１開口４へと差し込む。そうすると、ロックレバー２０の指当て操作片部２２が第１開口４の小切欠部５を通り、取付け板部１２を除き、取付けベース板１０及びロックレバー２０の略全体が前記隅角部３内に入り込む。図４は位置固定金具Ｘが取付け板部１２を除き、隅角部３に内装された状態を示す概略説明図である。そこで、位置固定金具Ｘを固着具１１を介して隅角部３に固定する。
【００１７】
一方、引き手４０を上げ下げ窓２の隅角部３の第２開口６に嵌込む。しかして、引き手４０を第２開口６に固定的に嵌込むと、そのフランジ４４が隅角部３の内側壁面に当ると共に、切欠開口部４１内にロックレバー２０の指当て操作片部２２が丁度嵌まり合う。したがって、ロックレバー２０の操作片部２２が恰も引き手４０の周壁部４２の一部を構成しているような格好に成る。
【００１８】
次に図７により上げ下げ窓２を持ち上げる場合について説明する。この図から明らかなように、例えば親指を除いた他の指（人指し指、中指、薬指、小指）Ｆを引き手４０の開口４３に差し入れ、望ましくは人指し指及び中指、或いは人指し指乃至薬指を指当て操作片部２２の下面２２ａに当て、指当て操作片部２２を回転させる。
【００１９】
しかして、指当て操作片部２２が付勢バネ３０のバネ力に抗して図７で示す矢印の時計方向に回転すると、その突出圧接部２１が窓用枠１の縦枠部１ａから離れる。つまり、ロックレバー２０のロックが解消される。そこで、力を入れて上げ下げ窓２を持ち上げ、例えば図８で示すような所望の位置まで待ち上げる。この場合引き手４０の開口４３に差し入れた指の関節部等が引き手４０のフランジ４４にも当っている。
【００２０】
図３は指当て操作片部２２から他の指Ｆを離した状態を示す概略説明図である。上記のように上げ下げ窓２を所望の位置まで持ち上げたならば、他の指Ｆに入れている力を緩める。そうすると、指当て操作片部２２は付勢バネ３０のバネ力により元の位置へと復帰し、突出圧接部２１が取付けベース板１０の開口１４から食み出し、その弧状圧接面２１ａが窓用枠１の縦枠部１ａに圧接する。その結果、上げ下げ窓２は、ロックレバー２０を介してロックされ、上げ下げ窓２は、本実施例では縦枠部１ａに対する位置固定金具Ｘのスライド抵抗により落下しない。
【００２１】
【実施例】
まず、発明の実施の形態で述べた一実施例に於いて、上げ下げ窓２が上窓と下窓から成る場合には、それぞれに左右一対取付けられる。また本実施例では予め取付けベース板１０並びにロックレバー２０とを一体的に組合わせ、上げ下げ窓２の第１開口４へと差し込むが、それぞれ別体に上げ下げ窓２の隅角部３に固定することもできる。すなわち、まず取付けベース板１０を隅角部３の第１開口４に挿入して固定し、次にロックレバー２０を隅角部３の第２開口６から入れ、かつ、支軸３０を介して該ロックレバー２０を取付けベース板１０に軸着し、しかる後に引き手４０を前記第２開口６に固定的に嵌込むことも可能である。
【００２２】
また上げ下げ窓２は縦枠部１ａに対する位置固定金具Ｘのスライド抵抗により落下しないが、もちろん、縦枠部１ａのレール状内壁面に多数の係合溝を所定間隔に形成し、これらの係合溝にロックレバー２０の突出圧接部２１を係合させても良い。
【００２３】
【発明の効果】
以上の説明から明らかなように、本発明にあっては次に列挙するような効果がある。
（１）取付けベース板に一体的に軸支されたロックレバーの突出圧接部が窓用枠の縦枠部にスライド抵抗を与えるように付勢バネで常時付勢されているので、上げ下げ窓を任意の位置に簡単に止めることができる。
（２）引き手の開口部に指を差し込んだ状態でロックレバーを操作することができるので、上げ下げ窓のロック及びそのロック解除をきわめて容易に操作することができる。
（３）取付けベース板及びロックレバーを上げ下げ窓の第１開口へと差し込み固定し、一方、引き手を上げ下げ窓の隅角部の第２開口に固定的に嵌込むことにより、位置固定金具Ｘを上げ下げ窓の隅角部に容易に取付けることができる。
（４）上げ下げ窓の隅角部に二個の開口部を形成するだけで良い。したがって、
既存の上げ下げ窓の隅角部を著しく加工しないで済む。
（５）その他位置固定金具Ｘは上げ下げ窓の隅角部内に略収まるので、外観上も見栄えが良い。
【図面の簡単な説明】
図１乃至図８は本発明の一実施例を示す各説明図。
【図１】発明の実施の形態の一例を示す説明図（窓用枠に設けられた上げ下げ窓が多少開放している状態の室内側から見た概略説明図）。
【図２】図１に於ける本発明の取付けた箇所の拡大正面図。
【図３】図２に於ける概略断面説明図。
【図４】図３に於ける平面から見た概略断面説明図。
【図５】位置固定金具Ｘの分解斜視図。
【図６】位置固定金具Ｘを上げ下げ窓の隅角部に取付ける場合の説明図。
【図７】上げ下げ窓を持ち上げ（てい）る時のロックレバーの操作の概略説明図。
【図８】持ち上げられた上げ下げ窓が、左右の位置固定金具Ｘでロックされている状態の説明図。
【符号の説明】
Ｘ…位置固定金具、１…窓用枠、１ａ…縦枠部、２…上げ下げ窓、３…隅角部、４…第１開口、５…小切欠部、６…第２開口、１０…取付けベース板、１１…固着具、１２…取付け板部、１４…ロックレバー用開口、２０…ロックレバー、２１…突出圧接部、２２…指当て操作片部、２３…支軸用の孔、２４…板状指部、３０…付勢バネ、３５…支軸、４０…引き手、４１…切欠開口部、４２…周壁部、４３…開口、４４…フランジ、Ｆ…指。
【図１】
0003939835.tif 000002
【図２】
0003939835.tif 000003
【図３】
0003939835.tif 000004
【図４】
0003939835.tif 000005
【図５】
0003939835.tif 000006
【図６】
0003939835.tif 000007
【図７】
0003939835.tif 000008
【図８】
0003939835.tif 000009